Podtech/llm-jp-corpus-v4-ja_patent huggingface dataset:
(57)【要約】      （修正有）【課題】油圧ショベルで側溝を跨ぐことが出来ない場所など、油圧ショベルを使って側溝の横から掃除可能で、労働的負担と時間短縮を解決する側溝用アームを提供する。【解決手段】アーム１１とバケット１５の間に前部クロスリンクを取り付けるとともに、シリンダ１４とバケット１５の間に後部クロスリンク２９を取り付けて、アーム１１横面のシリンダブラケット１３にシリンダ１４を取り付けると、バケット１５の横の動作が可能になり、また、中間アーム１０とアーム１１を支点ピン２０で連結し、中間アーム１０を上下に作動させても、アーム１１は、垂直に近い状態に保つことができ、側溝に沿って横からの掃除が可能になることを、特徴とする油圧ショベルの側溝用アーム。【選択図】図１
0003144040.tif 000002
【実用新案登録請求の範囲】
【請求項１】
アームとバケットの間に前部クロスリンクを取り付けるとともに、シリンダとバケットの間に後部クロスリンクを取り付けて、アームの横面にシリンダを取り付ける為の、シリンダブラケットを取り付けることで、バケットの横の動作が可能になり、また、中間アームとアームを支点ピンで連結すると、中間アームを上下に作動させても、アームを垂直に近い状態に保つことができ、側溝に沿って横から掃除が可能になることを特徴とする油圧ショベルの側溝用アーム。
【考案の詳細な説明】
【技術分野】
【０００１】
本考案は、油圧ショベルで側溝の掃除を跨いで、できない場所などを、側溝の横から作業を行うことができる油圧ショベルの側溝用アームである。
【背景技術】
【０００２】
跨ぐことができない側溝や、離れている側溝などは、図１０に示す従来の油圧ショベルでは、バケットリンク(３８)が、すくい込む時に側溝に触れ、できない為、人力で掃除をしている。
【考案の開示】
【考案が解決しようとする課題】
【０００３】
油圧ショベルで側溝を跨ぐことが出来ない場所など、油圧ショベルを使って側溝に沿って、横から掃除可能で、労働的負担と時間短縮を解決しようとするものである。
【課題を解決するための手段】
【０００４】
本考案は、アーム(１１)に対して、バケット(１５)を横向きに取り付けをする為、シリンダブラケット(１３)をアーム(１１)の横面に取り付け、シリンダ(１４)をピン(３２)で留め、アーム先端ボス(２２)とシリンダ先端ボス(２３)に前部クロスリンク(２８)と後部クロスリンク(２９)をそれぞれバケット(１５)に取り付けることで、バケット(１５)を横向きにすることができ、少し離れている側溝の掃除などが可能になる油圧ショベルの側溝用アームである。
【考案の効果】
【０００５】
上述の様に、側溝の横からの掃除などが可能になり、労働的負担も軽減し、時間の短縮にもなる。
【考案を実施するための最良の形態】
【０００６】
図１〜７において、油圧ショベルアーム(１１)の横面にシリンダブラケット(１３)を取り付け、シリンダ(１４)を取り付ける。前部クロスリンク(２８)をアーム先端ボス(２２)とバケット前部ボス(２４)の中間に取り付けるとともに、後部クロスリンク(２９)をバケットシリンダ先端ボス(２３)とバケット後部ボス(２５)の中間に取り付けることで、バケット(１５)が横向きになり、中間アーム(１０)とアーム(１１)を支点ピン(２０)で連結するこで、垂直に近い状態を保つとができ、バケット(１５)の、だきこみ、返し、積み込み、の作業ができ、側溝に沿って横のすくいが可能になる。
尚、中間アーム(１０)とアーム(１１)を固定ピン(２１)で留めることで、通常のアームになり、図８に示す掘削用にもできる。
【実施例１】
【０００７】
以下、添付図面に従って、油圧ショベルの動作について説明する。中間アーム(１０)とアーム(１１)を支点ピン(２０)で留めることで、中間アーム(１０)を上下に作動しても、アーム(１１)の動きは垂直に近い状態を保つことができる。シリンダブラケット(１３)は、シリンダ(１４)を付ける為、横面に取り付けて、前部クロスリンク(２８)と後部クロスリンク(２９)で、バケット(１５)の、だきこみ、返し、積み込み、の作業ができる。また、前方の左右に側溝が通っている時、  油圧ショベルの旋回作動で、一定の巾は溝に沿って横のすくいが可能になる。
尚、中間アーム(１０)とアーム(１１)を固定ピン(２１)で、留めることで通常のアームになる。また、シリンダ(１４)をシリンダブラケットボス(３３)に取り付けて、バケットリンク(３８)と、アームリンク(３９)の取り付けをし、バケット(１５)を付けると掘削用にもできる。
【図面の簡単な説明】
【０００８】
【図１】油圧ショベルの側溝用簡略図である。
【図２】側溝用中間アーム、アーム、バケットの簡略側面図である。
【図３】側溝用アーム、バケットの簡略正面図である。
【図４】中間アームの簡略正面図、上面図である。
【図５】アームの簡略正面図、上面図である。
【図６】前部クロスリンクの(a)上面図、(b)正面図、  (c)側面図の簡略図である。
【図７】後部クロスリンクの(d)上面図、(e)正面図、  (f)側面図の簡略図である。
【図８】油圧ショベルの掘削時のアームの簡略図である。
【図９】掘削時のアームの簡略側面図、正面図である。
【図１０】従来の油圧ショベルの簡略図である。
【符号の説明】
【０００９】
１０   中間アーム
１１   アーム
１２   シリンダブラケットボス
１３   シリンダブラケット
１４   シリンダ
１５   バケット
１６   中間アーム支点ボス
１７   中間アーム固定ボス
１８   アーム支点ボス
１９   アーム固定ボス
２０   支点ピン
２１   固定ピン
２２   アーム先端ボス
２３   シリンダ先端ボス
２４   バケット前部ボス
２５   バケット後部ボス
２６   バケット前部ピン
２７   バケット後部ピン
２８   前部クロスリンク
２９   後部クロスリンク
３０   アーム先端ピン
３３   シリンダブラケットボス
３１   シリンダ先端ピン
３２   シリンダピン
３３   シリンダブラケットボス
３４   前部クロスリンクバケットボス
３５   前部クロスリンクアームボス
３６   後部クロスリンクバケットボス
３７   後部クロスリンクシリンダボス
３８   バケットリンク
３９   アームリンク
【図１】
0003144040.tif 000003
【図２】
0003144040.tif 000004
【図３】
0003144040.tif 000005
【図４】
0003144040.tif 000006
【図５】
0003144040.tif 000007
【図６】
0003144040.tif 000008
【図７】
0003144040.tif 000009
【図８】
0003144040.tif 000010
【図９】
0003144040.tif 000011
【図１０】
0003144040.tif 000012
(57)【要約】      （修正有）【課題】携帯、収納が容易なポケット付バックを提供する。【解決手段】ポケット２をバック本体１外側前面に付け、ポケットの幅のラインを目安としてしてたたみ、ポケットの先端につけたベルト３で留めつけることにより、簡単にコンパクトにまとめられ、前面につけたポケットは、小さくまとめた後でも小物の収納が出来る。【選択図】図１
0003144005.tif 000002
【実用新案登録請求の範囲】
【請求項１】
バック本体１の中央部にポケット２を取り付け、ポケット２にベルト３とベルト３を固定するバネホック４，５を取り付けたポケット付きバック。
【考案の詳細な説明】
【技術分野】
【０００１】
本考案は、ベルト付きポケットを前面に付けた携帯バックに関するものである。
【背景技術】
【０００２】
買い物袋の有料化に伴いマイバックを携帯するようになった。その際、持ち歩くときにバックをコンパクトに容易にたため、収納することが必要になった。
【考案の開示】
【考案が解決しようとする課題】
【０００３】
バックを携帯するため、コンパクトに収納できると便利であるが、バックを折りたたみ、小さくまとめるには手間がかかる。従って、バック本体に効率よく美しくたたむための機能を持ったポケットを付け、欠点を解決しようとするものである。
【課題を解決するための手段】
【０００４】
本考案は、バックをまとめるためにベルトの付いたポケットをバックの前面に付け、ポケットの幅のラインを目安としてたたみ、ポケットの先端につけたベルトで留めつけることにより、簡単にコンパクトにまとめられる。
【考案の効果】
【０００５】
上述のように、本考案のベルト付きポケットをバック前面に付けることにより、バックをスムーズにしっかりとコンパクトにまとめて携帯することが出来る。また、前面にポケットを付けることにより、たたんだ後でも、小物の収納、出し入れができる。
【考案を実施するための最良の形態】
【０００６】
バックの持ち手下より、ベルト付きポケットを縫い付ける。ポケットの大きさは、バック本体縦横の幅を３等分する長さに設定する。それにより、ポケットの幅のラインに沿って、たたみやすくなる。ベルトの長さは、たたんだバックを一周できる長さに設定する。
【実施例】
【０００７】
以下、添付図面に従って、折りたたみの手順を説明する。バック本体１の前面に付けたポケット２を中心にして上下、左右を3等分するラインが折りたたみ線になる。（図２参照）  図３が示すポケット２の左右のラインに沿って本体バック１を縦に３等分し、左右を裏面にむけて折りたたむ。バック本体１が図４に示す状態になったところで、ポケット２を中心に上下を３等分し、裏面にむけて折りたたむ。図５に示す状態になったバック本体１を横に3等分し、上下を裏面にむけてたたみこむ。小さくなったバック本体をポケット２で被い、ベルト３を一周させてバネホック４・５で固定する。
【図面の簡単な説明】
【０００８】
【図１】バック本体の開いた状態を示す正面図。
【図２】バック本体の折りたたみ線を示す図。
【図３】バック本体をたたむ手順を示す図。
【図４】バック本体をたたむ手順を示す図。
【図５】バック本体をたたむ手順を示す図。
【図６】バック本体をたたんだ状態を示す正面図。
【図７】バックを開いた状態を示す斜視図。
【符号の説明】
【０００９】
１  バック本体
２  ポケット
３  ベルト
４  バネホック（上止め）
５  バネホック（下止め）
【図１】
0003144005.tif 000003
【図２】
0003144005.tif 000004
【図３】
0003144005.tif 000005
【図４】
0003144005.tif 000006
【図５】
0003144005.tif 000007
【図６】
0003144005.tif 000008
【図７】
0003144005.tif 000009
(57)【要約】      （修正有）【課題】蟻や蛞蝓等の地表の害虫が侵入するのを阻止する受け皿とプランターを提供する。【解決手段】受け皿は底面にプランターを載せる支持柱を複数個設置し、水を充満して使用する。なお支持柱は受け皿が満水状態でもプランター底面が水面に接しない長さに設定されている。一方プランターの底面には支持柱の受け口を設け、風等による移動滑落を防止している。従って、プランターは水を介して地表より隔離され、蟻や蛞蝓等の害虫が地表より侵入するのを阻止するものである。これにより虫害を回避できるため作物の生育を促し、殺虫剤による薬害のない安全な食材を栽培することができる。また、プランターの底面が空間に位置するため蒸れ防止の効果があり、根腐されを回避し生育促進の効果がある。【選択図】図１
0003144004.tif 000002
【実用新案登録請求の範囲】
【請求項１】
プランターを載せる支持柱を複数個構築した受け皿。
【請求項２】
請求項１による支持柱の受け口を設けたプランター。
【考案の詳細な説明】
【技術分野】
【０００１】
本考案は園芸用具に関するものである。
【背景技術】
【０００２】
従来、プランター用受け皿はプランターから浸み出る水を受け止め、床を汚さないことを目的に用いるものであり、プランターの底面が納まる大きさに作成されている。
【考案の開示】
【考案が解決しようとする課題】
【０００３】
本考案は蟻や蛞蝓等地表の害虫がプランターに侵入することを阻止し、作物の虫害を防止することが目的である。
【０００４】
プランターは水を介して地表より隔離され、蟻や蛞蝓等の害虫が地表より侵入することを阻止するものである。
【課題を解決するための手段】
【０００５】
本考案は受け皿に水を充満し、プランターを支持柱上に載せる。
【０００６】
受け皿に構築するプランター支持柱は、受け皿が満水状態でもプランター底面が水面に接しない長さに設定されている。
【０００７】
更に、支持柱部分は底のない中空構造とし受け皿本体と一体構造とすることにより、受け皿を重ねた場合に上の支持柱が下の支持柱を包含し、嵩張ることなく効率よく積み重ねることができる。
【０００８】
また、プランターの底には支持柱の受け口を設け、風等による移動滑落を防止している。
【考案の効果】
【０００９】
プランターが地表より隔離し、地表の害虫を阻止できるため作物の生育を促し、殺虫剤等による薬害のない安全な食材を栽培することができる。
【００１０】
プランターの底面が空間に位置するため蒸れ防止の効果があり、根腐されを回避し生育を促進する。
【００１１】
本考案の受け皿をプランターの底面が納まる程度に大きくすれば、プランターから浸み出る水を受け止める用途にも利用出来る。
【００１２】
受け皿には一般に水を使用するが、害虫の種類によって忌避剤を混入することにより更に効果を発揮する。
【考案を実施するための最良の形態】
【００１３】
実施例について図面を参照して説明する。
【実施例】
【００１４】
図1は本考案による受け皿の形態を示す斜視図であり、支持柱（１）を矩形型受け皿（２）の底面に複数個設置したものである。
【００１５】
図２は本考案による受け皿の形態を示す斜視図であり、支持柱（１）を円形型受け皿（３）の底面に複数個設置したものである。
【００１６】
図３は本考案による受け皿に合致する矩形型プランター（４）の底面図であり、支持柱受け口（５）を複数個設置したものである。
【産業上の利用可能性】
【００１７】
地表から侵入する害虫を阻止し、殺虫剤等による薬害のない安全な食材を栽培する手段であり、家庭菜園に限らず農園での需要も見込める。
【図面の簡単な説明】
【００１８】
【図１】矩形型受け皿の実施例を示す斜視図である。
【図２】円形型受け皿の実施例を示す斜視図である。
【図３】矩形型プランターの底面図である。
【符号の説明】
【００１９】
１  プランター支持柱
２  矩形型受け皿本体
３  円形型受け皿本体
４  矩形型プランター
５  支持柱受け口
【図１】
0003144004.tif 000003
【図２】
0003144004.tif 000004
【図３】
0003144004.tif 000005
(57)【要約】      （修正有）【課題】ピアノ表面仕上げの色彩的装飾を向上してファッション性を増大させるとともに、ピアノ板自体にも装飾物としての用途を開発できるようにしたピアノを提供する。【解決手段】ピアノ表面塗装工程にて、ピアノ板状に紙、布の平面物を置きポリエステル塗装剤を平面物の繊維に染み込ませて一体化し、通常のピアノ板と同様に仕上げた写真絵画いれ込み塗装仕上げのピアノ板とする。絵画、写真、音符などをピアノ板仕上げ作業中に板内部にポリエステル樹脂剤で固定しその上に表面研磨仕上げにすることで、滑らかな鏡面仕上げの中に対象物を固定、密閉する。密閉物の繊維質にもポリエステル樹脂が入り込むため完全な一体成型物とすることができる。【選択図】図２
0003144022.tif 000002
【実用新案登録請求の範囲】
【請求項１】
ピアノ表面塗装工程にて、ピアノ板上に紙、布の平面物を重ねポリエスル 樹脂塗装剤を平面物の繊維に染み込ませて一体化し、通常のピアノ板と同様に仕上げた写真絵画いれ込み塗装仕上げのピアノ板。
【考案の詳細な説明】
【技術分野】
【０００１】
本考案はピアノ板のポリエステル塗装面内部に絵画や写真、音符など紙や布の平面体を一体化させた塗装技術である。金属板、プラスチック板などの非繊維質のはめ込みとは異なる技術である。
【背景技術】
【０００２】
絵画、写真、譜面などは壁に直接はるか、額その他のケースに入れ飾られているが汚れや酸化作用による変化、破損等が起こりうる。
【考案の開示】
【考案が解決しようとする課題】
【０００３】
絵画、写真、音符などを汚さずピアノ板内に密閉する事で酸化防止、脱色、破損から守り、前述の問題を解決するものである。
【課題を解決するための手段】
【０００４】
ピアノ表面塗装工程にて、ピアノ板上に紙、布の平面物を置きポリエステル塗装剤を平面物の繊維に染み込ませて一体化し、通常のピアノ板と同様に仕上げた写真絵画いれ込み塗装仕上げのピアノ板である。
【考案の効果】
【０００５】
図２のようにピアノ板中に密閉され、表面は通常ピアノ板としての仕上げの為、凹凸も無く滑らかな表面仕上げとなり、表面硬度もピアノ本来の硬度となり、絵画、写真、音符などの布、紙が半永久的な保管状態となる。
【考案を実施するための最良の形態】
【０００６】
図１のように通常のピアノ板の仕上げはピアノ板に塗布、研磨されたポリエステル樹脂層で構成されるが、図２に示すとおり絵画、写真、音符などをピアノ板仕上げ作業中に板内部にポリエステル樹脂剤で固定しその上に表面研磨仕上げにすることで、滑らかな鏡面仕上げの中に対象物を固定、密閉することで問題を解決している。密閉物の繊維質にもポリエステル樹脂が入り込むため完全な一体成型物とすることができる。
図３のようにポリエステル樹脂が紙、布の繊維部に浸透したの状態に加えピアノ板の厚さを増すことで内部を本体の形状変化からさらに守る事が出来る。
【産業上の利用可能性】
【０００７】
経年変化に弱い紙、布製の素材を硬く堅牢なピアノ板内に入れ込むことで長期保管、展示が可能になる。
【図面の簡単な説明】
【０００８】
【図１】通常のピアノ板のポリエステル樹脂仕上げ（断面拡大図）
【図２】ポリエステル樹脂層に紙、布を入れ込んだ図(断面拡大図)
【図３】ポリエステル樹脂がが紙、布の繊維部に浸透している図（断面拡大図）
【符号の説明】
【０００９】
P   ポリエステル樹脂(塗装層)
A   紙、布
B  ピアノ板（ピアノを構成する側板、鍵盤蓋等）
【図１】
0003144022.tif 000003
【図２】
0003144022.tif 000004
【図３】
0003144022.tif 000005
(57)【要約】      （修正有）【課題】正月祝い用の餅の販促方法として、鏡餅を卓上スタンドに採用する手段を提供するとともに、鏡開き後には任意の写真や絵を飾るスタンドとして有効利用する卓上スタンドを提供する。【解決手段】新年を祝う文字や数字や絵等を印刷した装飾板２の一部を鏡餅形状の輪郭に切抜いた孔形状部３を形成し、この孔形状部に鏡餅の立体部材４を嵌合し、この立体部材内には食餅を収容し、このように成る前記装飾板及び食餅入りの鏡餅立体部材を、所定の縁枠体及び固定板９により取付けるようにして成るものである。また、用済み後の装飾板及び鏡餅立体部材を取外し、これに代えて使用者が所有する任意の絵や写真等を縁枠体１内に配置し、これを固定板によって取付けておくようにするものである。【選択図】図２
0003144086.tif 000002
【実用新案登録請求の範囲】
【請求項１】
装飾板の一部を鏡餅形状の輪郭に切抜いた孔形状部を形成し、この孔形状部に鏡餅の立体部材を嵌合し、この立体部材内には食餅を収容し、このように成る前記装飾板及び食餅入りの鏡餅立体部材を縁枠体及び固定板により取付けて成ることを特徴とする卓上スタンド。
【請求項２】
用済み後の装飾板及び鏡餅立体部材を取外し、これに代えて任意の絵や写真等を縁枠体内に配置し得るように成る請求項１に記載した卓上スタンド。
【考案の詳細な説明】
【技術分野】
【０００１】
本考案は、写真や絵葉書等の卓上スタンドに関するものである。
【背景技術】
【０００２】
近年、わが国においては住宅環境が洋風化してきているため、新年に飾る仕来たりである三方に鏡餅を置く床の間がなくなりつつある住宅事情に鑑みると、新しいライフスタイルに合う飾り方ができる鏡餅を提供することが課題となっていた。
【０００３】
また、日本人は新年には餅を主食とするところ、製餅業者は売上げを高めるために創意工夫した包装容器を考案しているところ、鏡餅の包装容器としては例えば次のようなものが見られる。
【０００４】
【特許文献１】特開２００１−２７８２５６号公報
【特許文献２】特開２００２−２８０６８号公報
【特許文献３】特開２００７−２４４５７４号公報
【０００５】
しかし、これらはいずれも包装容器に関するものであって、その用が済めば破棄するものであり、鏡餅の包装容器体を卓上スタンドとして転用する目的を有するものではない。
【考案の開示】
【考案が解決しようとする課題】
【０００６】
そこで、本考案は、正月祝い用の餅の販促方法として、これを卓上スタンドに採用した手段を提供することにより、１月１１日の鏡開き後においても、写真や絵のスタンドとして使用者が有効に利用することができるものを提供することを目的とする。
【課題を解決するための手段】
【０００７】
本考案は、新年を祝う文字や数字や絵等を印刷した装飾板の一部を鏡餅形状の輪郭に切抜いた孔形状部を形成し、この孔形状部に鏡餅の立体部材を嵌合し、この立体部材内には食餅を収容し、このように成る前記装飾板及び食餅入りの鏡餅立体部材を、所定の縁枠体及び固定板により取付けるようにして成るものである。
【０００８】
また、用済み後の装飾板及び鏡餅立体部材を取外し、これに代えて使用者が所有する任意の絵や写真等を縁枠体内に配置し、これを固定板によって取付けておくようにするものである。
【考案の効果】
【０００９】
本卓上スタンドは、人が新年時に購入して飾っておいた食餅入りの鏡餅立体部材付き装飾板の縁枠材を、少なくとも二回に分けて使用することができる利便性の大きいものとなり、製餅メーカーのセールスポイントになる。
【００１０】
特に、餅という食品を卓上スタンドの飾り物として使用したことは画期的である。
【考案を実施するための最良の形態】
【００１１】
使用者は、新年の祝い期間中は鏡餅立体部材内に食餅を収容したままの装飾板を取付けた縁枠材を部屋の任意の場所に飾って置き、鏡開きをした後は、縁枠材の背面部の固定板を離脱し、表面部にある装飾板及び食餅入り鏡餅立体部材を取り外し、鏡餅立体部材内部の食餅を取り出せばよい。
【００１２】
また、取り外した前記装飾板に変えて、使用者が所有する任意の写真や絵葉書などを縁枠材内に取付け、再び固定板により固定して飾って置けばよい。
【実施例】
【００１３】
１は所定の縁枠体で、この縁枠体の大きさや形状は任意である。
【００１４】
２は新年を祝う文字，数字，絵，写真などを印刷した装飾板で、この装飾板の一部には鏡餅の輪郭に切抜いた孔形状部３を形成する。
【００１５】
このような構成に成る装飾板２は、使用者の年令，性別，趣味などの違いを考慮して、予め異なる風景や色彩の絵や写真を複数枚、縁枠体１と後記固定板９の間に用意し、使用者の好みによって選択させるようにしておくとよい。
【００１６】
４は前記孔形状部３に嵌合する鏡餅の輪郭形状に成る立体部材で、この立体部材の内部には任意形状の食餅ａを収容する。
【００１７】
５は前記立体部材４の周囲に一体に形成した抑止板部で、この抑止板部は立体部材４を前記装飾板２の孔形状部３の背面部から正面部に向けて嵌挿したとき、装飾板２の背面部に密着するように成る。
【００１８】
本考案の構成は以上であり、以下は周知のスタンド部材であり、これらも一体として前記縁枠体の背側部内に収容状態にしておく。
【００１９】
６はガラス板、７は枠板、８は予備の写真や絵、９は支持脚１０を有する固定板である。
【００２０】
なお、販売時には、以上の部材等を収容した縁枠体を、所定の包装容器１１の内部に収納しておくものである。
【図面の簡単な説明】
【００２１】
【図１】全体の斜視図
【図２】全体の配置分離状態の斜視図
【図３】図１Ａ−Ａ線の断面図
【図４】別絵を取付けた全体の斜視図
【符号の説明】
【００２２】
１                    縁枠体
２                    装飾板
３                    孔形状部
４                    立体部材
５                    抑止板部
９                    固定板
１０                  支持脚
１１                  包装容器
【図１】
0003144086.tif 000003
【図２】
0003144086.tif 000004
【図３】
0003144086.tif 000005
【図４】
0003144086.tif 000006
(57)【要約】      （修正有） 【課題】使用が容易で、充分な強度と衝撃から商品を守るバッグを提供する。【解決手段】充分な強度と衝撃から商品をまもる底板をバッグ底部に配置することで、商品の重さを衝撃吸収底板によりバッグ全体で受けとめることができ、商品を安全に持ち帰り、バッグを長期にわたり使用できるものとした。毎日の実利用に使用できるため一般廃棄物やレジ袋の減少及び市民の環境意識向上に大きく寄与できるものとして期待される。【選択図】図１
0003144095.tif 000002
【実用新案登録請求の範囲】
【請求項１】
生地又はフィルムを利用した袋を本体とするバッグに、生地と衝撃吸収素材を合わせその間にテープ状の補強素材を配設して縫製した衝撃吸収底板を、本体の内部底に配置したバッグ
【請求項２】
前記バッグにおいて、本体の内部底に縫製により固着して配置した請求項１記載のバッグ
【考案の詳細な説明】
【技術分野】
【０００１】
本新案は、利便性向上を図ったバッグに関する。
【背景技術】
【０００２】
提供されているバッグには、一部プラスティックやダンボールを利用した底板がついている場合がある。しかし、素材の硬さや反復利用に向かない材料特性により、従来のものは、たたむと底板に亀裂が入り折れ曲がる。強度を強くする場合、硬く厚いプラスティックを用いることになるため、バッグ全体の柔らかさを保持することが難しい。
【考案の開示】
【考案が解決しようとする課題】
【０００３】
バッグは、消費者の環境意識向上により、買い物での利用が拡大している。利用者が、反復利用するため、商品を安全に持ち運ぶ機能と持ち運びが楽になる機能を持つ必要がある。本考案により、購入したものをバッグに入れた場合、バッグ底中央部分が下がらないため、商品同士が運搬中にぶつかることを軽減すること、プラスティックやダンボールによる補強でないため、反復利用で劣化することを軽減するとともに、バッグ全体が柔軟性を持つことが出来る。また、底板に衝撃吸収素材を配置しているので、購入商品を外部より保護することが出来る
【課題を解決するための手段】
【０００４】
本考案の第１は、外側と内側で異なる生地又はフィルムを利用した袋を本体とするバッグに、本体の外側と内側中間部の底に配置する、生地と衝撃吸収素材を合わせその間にテープ状の補強素材を縫製した衝撃吸収底板つきバッグである。１を基布とし、２のテープを平面上の横長部分に１の基布全体に配置する。同じテープを縦方向に直角に交差する形で大きさにより３から５本程度配置する（図３により表示する）。１基布と２のテープを縦横にＡの方法で縫製する（図４により表示する）。１と２で出来た縫製品に、３の生地を配置し（図５により表示する）Ｂの縫製を行う（図６により表示する）。１と２に３を縫製してできた中敷を５とし、バッグの外側部分と内側生地の中間  バッグ底部分に配置し、内側生地と外側生地とともにＣの縫製し固定する（図７により表示する）。これにより中敷は、バッグ本体と一体化しその機能を充分に発揮する（図１により表示する）。
【０００５】
本考案の第２は、生地又はフィルムを利用した袋を本体とするバッグに、本体の内部底に配置する生地と衝撃吸収素材を合わせその間にテープ状の補強素材を縫製した衝撃吸収底板つきバッグである。１を基布とし、２のテープを平面上の横長部分に１の基布全体に配置する。同じテープを縦方向に直角に交差する形で大きさにより３から５本程度配置する（図３により表示する）。１基布と２のテープを縦横にＡの方法で縫製する（図４により表示する）。１と２で出来た縫製品に、３の生地を配置し（図５により表示する）Ｂの縫製を行う（図６により表示する）。１と２に３を縫製してできた中敷を５とし、４の中敷外装生地の中に入れ（図８により表示する）、その外装をＤの縫製し中敷を完成する（図９により表示する。完成した中敷は、バッグ底部に配置されバッグ本体のその機能を発揮する（図２により表示する）。
【０００６】
Ａの方法については、素材の強度に合わせて縦・横・斜めなどを縫製する（図４により表示する）。Ｂの方法については、素材の強度に合わせて縦・横・斜めなどを縫製する（図６により表示する）。Ｃの方法については、バッグ底部中心部、左右などを縫製し固定する（図７により表示する）。Ｄの方法については、５を４の素材にいれ、その周りを縫製する（図９により表示する）。
【考案の効果】
【０００７】
本考案の衝撃吸収底板を配置することで、商品同士がぶつかることを軽減し、バッグを手から下ろす際の衝撃に対応するバッグを提供できる。上記のバッグは、毎日の実利用に使用できるため一般廃棄物やレジ袋の減少及び市民の環境意識向上に大きく寄与できるものとして期待される。
【考案を実施するための最良の形態】
【０００８】
表と内側を異なる素材で構成した衝撃吸収底板つき買い物バッグ、表側の素材で構成し底板を附属として配置した衝撃吸収底板つき買い物バッグ、表側の素材で構成し底板を附属として配置し縫製のより固定した衝撃吸収底板つき買い物バッグ
【実施例】
【０００９】
表と内側を異なる素材で構成した衝撃吸収底板つき買い物バッグ（図１により表示する）、表側の素材で構成し底板を附属として配置した衝撃吸収底板つき買い物バッグ（図２により表示する）、表側の素材で構成し底板を附属として配置し縫製のより固定した衝撃吸収底板つき買い物バッグ
【産業上の利用可能性】
【００１０】
バッグの製造業界において利用できる。
【図面の簡単な説明】
【００１１】
【図１】表と内側を２つの素材で構成した衝撃吸収底板つきバッグの断面図
【図２】表側の素材で構成し底板を附属として配置した衝撃吸収底板つきバッグの断面図
【図３】１の基布に２のテープを配置した平面図
【図４】Ａの縫製を表示する平面図
【図５】（図４）に３の素材を配置した側面図
【図６】Ｂの縫製を表示する図、縫製後は５となる。
【図７】Ｃの縫製をバッグ内側から表示する図
【図８】５を４の素材に配置した断面図
【図９】Ｄの縫製を表示する平面図
【符号の説明】
【００１２】
１  基布となる生地
２  基布を補強するためのテープ
３  クッション性のある生地又は生地に類するもの
４  底板外装用の生地又は生地に類するもの
５  衝撃吸収底板の縫製品
６  表側用の素材
７  内側用の素材
Ａ  縫製により固定
Ｂ  縫製により固定
Ｃ  縫製により固定
Ｄ  縫製により固定
【図１】
0003144095.tif 000003
【図２】
0003144095.tif 000004
【図３】
0003144095.tif 000005
【図４】
0003144095.tif 000006
【図５】
0003144095.tif 000007
【図６】
0003144095.tif 000008
【図７】
0003144095.tif 000009
【図８】
0003144095.tif 000010
【図９】
0003144095.tif 000011
(57)【要約】      （修正有）【課題】購入物を入れるポリエチレン袋を無くし、且つ購入物の籠への入れ替え作業を無くし、効率の良い収納を図り、又持ち帰り易くした布製の袋を提供する。【解決手段】ズック製など長く使用し続けられる把手や肩掛けベルトを付けた袋を店の硬質プラスチック製の籠の内側に沿ってセットし、購入物を入れた籠からレジスターで袋の中に店員に効率良く移し入れて貰い、袋の口周囲のロープなどで袋の口を閉じる。袋の把つ手で持ち帰るか、袋に付けたベルトで背負って帰る。【選択図】図１
0003144538.tif 000002
【実用新案登録請求の範囲】
【請求項１】
所定の籠の内側に沿って収まり、籠の開口部周囲相当部に、巾着式閉じ紐の付いた布製の袋
【請求項２】
袋の側面に背負い式ベルトの上下を固定した請求項１記載の布製の袋
【請求項３】
袋の片側又は両側に、別の布製の物入れ袋を取り付けた請求項１記載の布製の袋
【考案の詳細な説明】
【技術分野】
【０００１】  本考案は、半永久的に使用出来る収納効率や運搬に便利な買い袋に関する。
【背景技術】
【０００２】  ス−パ−マ−ケットやコンビニエンスストア等で買い物をする時、レジスタ−で所定の硬質プラスチック製の籠からその代金支払い後に、店の担当者が別の籠に移し入れた購入品をポリエチレン製などの持ち帰り用の袋に購入者が移し入れている。尚袋の数量は多く、その無駄を少なくするため、持ち帰り用の袋持参奨励策を採用している店もある。
【考案の開示】
【考案が解決しようとする課題】
【０００３】  背景技術に記載してあるような省資源策よりも、更にその効果が高まり、又重複した収納作業を無くし、収納効率の良い且つ企業のＰＲにも効果のある収納、運搬用の布製の袋を提供する。
【課題を解決するための手段】
【０００４】  上記のような店の物入れ籠は、硬質プラスチック製であり、又殆ど同じ大きさの物である。その内側に沿ったズックなどの布製収納袋を縫製して製作する。その内側に、防水加工を施せば尚長く使用出来る。なお四隅に小孔を明けておけば、収納物からの液体が漏れても他の収納物への影響は少ない。【０００５】  袋の開口部両側に掛けてズック布製などの取っ手を付ける。袋の上周囲には、やや等間隔に穴を開ける。穴は、鳩目金具で補強し、その穴に通る紐を通し、物の収納後袋の開口部を閉じ結ぶ。袋の側面には、リックサックのように肩に掛けるベルトを取り付けても良い。【０００６】  又袋を背負ったとき、収納袋の片側又は両側面に、別の袋を縫製して取り付けると、大きな瓶などの収納に便利である。
【考案を実施するための最良の形態】
【０００７】  図１に示すように、販売店の所定の籠２の内側に沿って、購入する物を収納して持ち帰る把手３のある、本提案のズック製等の袋１を予め収めておく。直接購入物を入れた別の籠を代金支払い場で、店員は購入代金をレジスタ−に入力しながら、ズック製等の袋を収めた籠に購入物を移し代え収納していく。店員は、長い経験から、購入物の大きさ、形状、剛柔の差を見極めながら作業していく。そのため、袋への収納効率の良い収納が出来る。【０００８】  袋１の開口部周囲には、購入品を収納した後、袋１の開口部を閉じるロープ等紐４を袋１の開口部周囲にほぼ等間隔に開け、輪環具で補強した穴５に通しておき、紐の端を留め金具６で相互に留めておく。【０００９】  必要によっては、瓶物など主たる袋に収納し難い物を、主たる袋１の片脇又は両脇に取り付けた小さなズック製等の開口部８のある袋７に移し入れる。店の担当者は、荷くずれし易いもの、堅い物、柔らかい物、臭気のある物、商品の大小など等を区別し、長い経験により、袋１に物が収まり易く、又安定した状態に収納することが出来る。購入者は、そのまま収納袋の口をロ−プ紐４で開口部を絞り結び、籠から出して、袋１の相対する把手３を持って帰る。【００１０】  現況では、レジスタ−で折角の安定した状態に収納した購入品を、購入者がその剛柔、形状や大小等購入品の安定した収納状態を形状を崩して袋に移し代えている。その購入品を収納する技が利用出来ていない。それが、安定した収納を保持した状態で持ち帰ることが出来る。【００１１】  購入品が少ないときや、軽いときは、袋に付けてある手提げ把手３で持ち帰る。【００１２】  購入品が多い時や重いときは、上下を袋に固定した肩掛けベルト９を使ってリックサックとして背負って帰る。【００１３】  購入品に水分が多かったり、水分がもれ出る商品があった場合に備えて、袋１の底隅に小孔を開け、金属製やプラスチックの輪環具１０を付けておくと良い。
【考案の効果】
【００１４】  購入者は、購入品を別のポリエチレン袋等に入れ替える作業を省くことが出来る。
【００１５】  購入店のレジスタ−で担当店員による購入品の安定した収納効果が活用出来る。
【００１６】  購入者は購入品の持ち帰りが楽になる。
【００１７】  上記のズック袋を購入得意先に利用して貰うことにより、ポリ袋が無くなり、省資源に大きな効果をもたらす。
【００１８】  販売店が、上記のズック製等の袋を製作して、企業の小ＰＲマ−クを印刷した袋を得意先購入者に無料で利用して貰えば、得意先の固定化と増加で販売促進に直結する。
【図面の簡単な説明】
【００１９】
【図１】  本考案による袋を収納籠内側に沿って収めた状態図である。
【図２】  購入物を本考案による袋に収め、持ち帰る状態図である。
【符号の説明】
【００２０】      １…袋                              ２…籠
３…把手                            ４…ロ−プ紐
５…穴                              ６…留め金具
７…袋                              ８…開口部
９…肩掛けベルト                  １０…輪環具
【図１】
0003144538.tif 000003
【図２】
0003144538.tif 000004
(57)【要約】      （修正有）【課題】従来のカプセル商品自動販売機にはめ込み可能な遊戯部を設け、遊戯性を高めたカプセル商品自動販売機型コインゲーム機を提供する。【解決手段】遊戯部２に設けたバネ３とレバー４により、レバーを引くことにより、硬貨を勢いよく上昇させて、障害物に当たりながら、複数あるハンドル部硬貨入口９のいずれかに導かれ、ハンドル５を回すことにより、商品取り出し口１５から商品を受け取る。【選択図】図１
0003144535.tif 000002
【実用新案登録請求の範囲】
【請求項１】
硬貨をバネによってはじき、複数のカプセル景品ケースの購入ハンドル硬貨入口のいずれかに導き、カプセル景品が販売されるコインゲーム機。
【考案の詳細な説明】
【考案の詳細な発明】
【背景技術】
【０００１】  従来は自分の意志によってカプセル商品ケースを選び、硬貨を投入して景品を購入していた。
【考案が解決しようとする課題】
【０００２】本考案は、はじかれた硬貨が購入者の意思とは無関係に複数のカプセル商品ケースのいずれかに導かれ、遊戯性を高めたものである。
【課題を解決するための手段】
【０００３】本考案は、従来のカプセル商品自販機のフロントパネル部に、硬貨投入口が設けられ、購入者がレバーを引きバネとレバーによってはじかれた硬貨は、障害物に当たりながら落下し複数のカプセル商品ケースの購入ハンドル部硬貨入口のいずれかに導かれる。
【発明の効果】
【０００４】複数のカプセル景品ケースに、異なった商品を置くことにより、購入意欲をたかめる。硬貨をはじいて商品を選ぶことにより、遊戯性は非常に高く、遊戯部はユニット化され、従来の機械の表面に嵌め込むことができる等の特徴を持つものである。
【図面の簡単な説明】
【図１】本考案の斜視図である。
【図２】上面図で上部カバーを外した図である。
【図３】側面図である。
【符号の説明】
１  カプセル商品自動販売機        ２  正面パネル遊戯部
３  バネ                          ４  レバー
５  ハンドル                      ６  障害物
７  硬貨投入口                    ８  コインセレクター排出口
９  ハンドル部硬貨入口          １０  コインセレクター
１１  カプセル商品排出ローター    １２  カプセル商品排出口
１３  カプセル商品ケース          １４  上部カバー
【図１】
0003144535.tif 000003
【図２】
0003144535.tif 000004
【図３】
0003144535.tif 000005
(57)【要約】【課題】  ダッカールを使用し理・美容作業を行う際、利き手を問わず、手首に装着することで効率よく留めはずしができる留め具付きリストバンドを提供する。【解決手段】  ダッカールが直接触れる可能性があるリストバンドの表面パーツは、撥水加工を施した合成皮革で形成されており、薬剤などが浸透しない。また利き手に合わせて、留め具の角度が変えられるので、左右両用として用いることができる。【選択図】図１
0003144536.tif 000002
【実用新案登録請求の範囲】
【請求項１】
理・美容作業を行う際、左右いずれかの手首に十字架の形をした（１）ボディを装着し、ボタンホックでボディと脱着可能な（２）ボート（留め具）にダッカールを差し込む、あるいは挟んで留めておける左右両用の留め具付リストバンド。
【考案の詳細な説明】
【技術分野】
【０００１】この考案は理・美容作業の際、ダッカール（髪留め）を留める留め具を取り付けた左右両用リストバンドに関するものである。
【背景技術】
【０００２】従来、皮革を使用し手首に取り付ける部分と留め具とが縫製により固定されたリストバンドがあった。
【考案の開示】
【考案が解決しようとする課題】
【０００３】  これには次のような問題点があった。
（イ）皮革製品は、薬剤などが付着すると皮に染み込み、容易に汚れを落とすとが難しい。
（ロ）ダッカール（髪留め）をリストバンドの留め具に留める際、右手で留めても左手で留めても留め易い角度に留め具の切り替えができなかった。
【課題を解決するための手段】
【０００４】手首にマジックテープで簡単に装着できる（１）ボディに、ダッカールを留める（２）ポート（留め具）を脱着可能なボタンホックで、ダッカールがとりやすい角度に取り付けた。さらに、ダッカールが直接接する可能性のあるボディ表面、ポート表面、（３）ループ表面と内側は、薬剤などが浸透しない撥水加工を施した合成皮革で形成した。
【考案の効果】
【０００５】（イ）ダッカールが、右手でも左手でも留めやすい角度に（２）ポートの角度が変えられる。
（ロ）薬剤がリストバンドの表面に付着しても容易に落とすことができる。
【考案を実施するための最良の形態】
【０００６】図２は本考案の一実施形態に係るリストバンドの（１）ボディの平面図である。【０００７】図２に示すように、（１）ボディは（４）ボディＡと（５）ボディＢに分かれており、ボディＡは十字架の形に加工した合成皮革で、ボディＢはボディＡと同じ合成皮革にマジックテープを縫い付けたものである。それぞれ金具に縫製により取り付けた。【０００８】（４）ボディＡを十字架の形に加工することで（２）ポートの取り付け角度をダッカールが留めやすい最適な角度に設定した。【０００９】（１）ボディは左右どちらの手首にも、マジックテープによって装着できる。【００１０】図３は本考案の一実施形態に係るリストバンドの（２）ポートの斜視図である。【００１１】図３に示すように（２）ポートの両端には（６）ボタンホックが付いており、（１）ボディとの脱着が可能である。すなわち、左右どちらの手首に装着しても、ダッカールが留めやすい位置にポートを移動させられる。【００１２】図３に示すようにポートには（３）ループが縫製により４つ取り付けてあり、ダッカールは４本まで留めることができる。【００１３】図４は本考案の一実施形態に係るリストバンドの左手首取り付け図であり、図５はリストバンドの右手首取り付け図である。【００１４】図４及び図５に示すように、（２）ポートの移動により、ダッカールの留めはずしが、左右どちらの手首にリストバンドを装着しても、同じ要領でできる。【００１５】本実施形態に係るリストバンドの各パーツの表面及び（３）ループ内側は撥水加工を施した合成皮革で形成した。
【図面の簡単な説明】
【００１６】
【図１】本考案の斜視図である。
【図２】本考案の（１）ボディの表面図である。
【図３】本考案の（２）ポートの斜視図である。
【図４】本考案の左手首取り付け図である。
【図５】本考案の右手首取り付け図である。
【符号の説明】
【００１７】    （１）ボディ
（２）ポート
（３）ループ
（４）ボディＡ
（５）ボディＢ
（６）ボタンホック
【図１】
0003144536.tif 000003
【図２】
0003144536.tif 000004
【図３】
0003144536.tif 000005
【図４】
0003144536.tif 000006
【図５】
0003144536.tif 000007
(57)【要約】      （修正有）【課題】石碑を構成する石材上面に形成する曲面のアール近傍部分Ｘの水切れを充分に行うことができ、石碑の略全体の上面が曲面を有し、且つ角部分に丸みを帯びた全体的に柔らかなイメージを得る石碑の表面形状を提供する。【解決手段】少なくとも石材の上面が表面平滑性を有し、石材の上面と壁面との角部が全周囲にわたり曲率半径が５〜５０ｍｍの範囲のアールに形成し、前記上面が全周囲にわたり前記アールを形成する外側端に向かって連続的に下降する曲面となるように形成し、前記曲面の最上端から前記アール上部への接線と前記曲面の最上端の水平線との角度が１〜２０度の範囲に設定した。【選択図】図２
0003144532.tif 000002
【実用新案登録請求の範囲】
【請求項１】
少なくとも石材の上面が表面平滑性を有し、石材の上面と壁面との角部が全周囲にわたり曲率半径が５〜５０ｍｍの範囲のアールに形成し、前記上面が全周囲囲にわたり前記アールを形成する外側端に向かって連続的に下降する曲面となるように形成し、前記曲面の最上端から前記アール上部への接線と前記曲面の最上端の水平線との角度が１〜２０度の範囲に設定した石碑の表面形状。
【考案の詳細な説明】
【考案の詳細な説明】
【技術分野】
【０００１】  本考案は、例えば墓石等の石碑の表面形状に関するものである。
【背景技術】
【０００２】  本出願人が提出した、実願２００４−６６８４では、１個または複数個の台石の上に塔石を積み上げてなる墓石の構造において、少なくとも１個の台石の上面と壁面との間の角部に、全周にわたり丸みが付けられていることを特徴とする墓石の構造を提案した。【０００３】  この考案においては、水切れがよく、ごみや水垢等の付着を効果的に防止することができ、手入れの容易な墓石を提供することが試みられた。【０００４】  しかしながら、この考案においては、墓石を構成する石材上面は平面であるため、特に丸み部分近傍の平面の水切れが充分でなく、そこにごみや水垢等がなお付着し易い。
【考案が解決しようとする課題】
【０００５】  本考案は上記欠点を解消するものであり、石碑を構成する石材上面から形成する曲面のアール（上記丸み）近傍部分の水切れを充分に行うことができ、石碑の略全体の上面が曲面を有し、角部分に丸みを帯びた全体的に柔らかなイメージを得る石碑の表面形状を提供する。
【課題を解決する手段】
【０００６】  請求項１の考案は、少なくとも石材の上面が表面平滑性を有し、石材の上面と壁面との角部が全周囲にわたり曲率半径が５〜５０ｍｍの範囲のアールに形成し、前記上面が全周囲にわたり前記アールを形成する外側端に向かって連続的に下降する曲面となるように形成し、前記曲面の最上端から前記アール上部への接線と前記曲面の最上端の水平線との角度が１〜２０度の範囲に設定した石碑の表面形状を提供する。
【０００７】  この考案においては、石材の上面に平面平滑性を有していることが必要である。表面が粗すぎると水切れが極端に悪くなり、本考案の以下の限定理由に意味がなくなる。
【０００８】  また、この考案においては、石材の上面と壁面との角部が全周囲にわたり曲率半径が５〜５０ｍｍの範囲のアールに形成されていることが必要である。曲率半径が５ｍｍ未満であると、石材の上面から壁面への水の流れが悪くなり、５０ｍｍを超えるのは石碑の形状として非現実的である。
【０００９】  また、この考案においては、前記上面が全周囲にわたり前記アールを形成する外側端に向かって連続的に下降する曲面となるように形成されていることが必要である。石材の上面に曲面を形成してもアールを形成する外側端へ連続的に下降する曲面でないと水の流れが充分に促進されない。
【００１０】  さらに、本考案においては、前記曲面の最上端から前記アール上部への接線と前記曲面の最上端の水平線との角度が１〜２０度の範囲であることが必要である。角度が１度未満であると水の流れが促進されず、２０度を超えるのは石碑の形状として非現実的である。
【考案の実施形態】
【００１１】  以下に本考案の一実施形態を図面に基づき説明する。図１は墓を示し、底部より敷石１、内部に納骨室を構成する石扉２，２と四方の腰柱３、３とこれら腰柱３、３間に形成する腰板（図１の側面と背面にあるので符号は省略）、スラブ石４、下台石５、上台石６、塔石７から構成されている。これら各石材の面は砥石等で充分に研摩されていて光沢のある表面平滑性を有している。
【００１２】  図２は、これら石材１、４、５、６、７を代表する部分拡大図であり、各石材の上面８と壁面９との角度が全周囲にわたり曲率半径ＲＤが５〜５０ｍｍの範囲のアールＲに形成されている。曲率半径ＲＤが５ｍｍ未満であると、前記石材の上面８から壁面９への水の流れが悪くなり、５０ｍｍを超えるのは石碑の形状として非現実的である。
【００１３】  また、これら石材の各上面８が全周囲にわたり前記アールＲを形成する外側端に向かって連続的に下降する曲面Ｃとなるように形成している。前記石材面に単に曲面を形成していても壁面９側へ連続的に下降する曲面Ｃでないと水の流れが充分に促進されない。
【００１４】  さらに、前記曲面Ｃの最上端Ｕから前記アールＲ上部への接線Ｔと前記曲面Ｃを形成する最上端の水平線Ｈとの角度ａが１〜２０度の範囲に設定している。角度が１度未満であると水の流れが促進されず、２０度を超えるのは石碑の形状として非現実的である。
【００１５】  上記の如く構成することにより、前記各石材の上面８に形成する前記曲面ＣのアールＲ近傍部分Ｘの水切れを充分に行うことができる。
【考案の効果】
【００１６】  上記の如く本考案においては、石碑を構成する石材上面から形成する曲面のアール近傍部分Ｘの水切れを充分に行うことができる。また、石碑の略全体の上面が曲面を有し、角部分に丸みを帯びた全体的に柔らかなイメージを得る石碑の表面形状を提供することができる。
【図面の簡単な説明】
【００１７】
【図１】本考案が適用される墓の正面図
【図２】各石材を代表する上面の曲面と外側端のアールを示す要部拡大断面
【符号の説明】
１      敷石
４      スラブ石
５      下台石
６      上台石
７      塔石
８      上面
９      壁面
ａ      角度
Ｃ      曲面
Ｈ      水平線
Ｔ      接線
Ｒ      アール（丸み部）
ＲＤ    曲率半径
Ｕ      曲面の最上端
Ｘ      曲面のアール近傍部分
【図１】
0003144532.tif 000003
【図２】
0003144532.tif 000004
(57)【要約】      （修正有）【課題】電気掃除機を使用する際に、本体が机や椅子の脚に掛かって障害となることがないようにした電気掃除機を提供する。【解決手段】電気掃除機の本体を電源コンセントに近接する位置に配置する事により、動かない構造とし、引き廻す必要がなく楽に作業が出来、又ホースの表面を滑らかにする事で円滑な掃除が可能である。階段では従来の型での片手で本体を持ち片手で作業をするという両手塞がりの不安定な状況に比べ、本考案では本体を下に置き片手で手摺りを持ちながら作業をすれば至極安全な掃除が出来るものである。【選択図】図１
0003144537.tif 000002
【実用新案登録請求の範囲】
【請求項１】
本体の取り付け位置を電源コンセントに近接して配置し、ホースの表面を滑らかにした電気掃除機。
【考案の詳細な説明】
【技術分野】
【０００１】本考案は電気掃除機の本体の位置及びホースの表面に関するものである。
【背景技術】
【０００２】従来の電気掃除機を使用する場合、机や椅子の脚や角が大変な障害となっていた。
【考案の開示】
【考案が解決しようとする課題】
【０００３】従来の電気掃除機では、本体に大口径の車輪をつけているにも拘らず、机や椅子の脚や角に掛かったり、コードを乗り越えるときも障害となり、手元に引き寄せるのに余分な労力を要していた。この不都合な状況を解決する必要がある。
【課題を解決するための手段】
【０００４】本考案では、電気掃除機の本体を電源コンセントに近接する位置に配置する事により、動かない構造とし、引き廻す必要が無く楽に作業が出来、又ホースの表面を滑らかにする事で円滑な掃除が可能である。階段では従来型での片手で本体を持ち片手で作業をするという両手塞がりの不安定な状態に比べ、本考案では本体を下に置き片手で手摺りを持ちながら作業をすれば至極安全に掃除が出来るものである。
【考案を実施するための最良の形態】
【０００５】図１のプラグ１を電源コンセントに差込み電源スイッチ７を入れて使用。本体は従来の型に比べて若干重量を増しても差し支えなく、内蔵モーターの出力を上げ吸引力を増強する事も可能で、又ホースの表面を滑らかにする事でより円滑に作業が出来るものである。
【図面の簡単な説明】
【０００６】
【図１】プラグ１からヘッド６までの全長は従来の掃除機と同等とし、電源コード２の長さは必要最短の８０ｃｍ程度とする。
【符号の説明】
【０００７】１・・・プラグ
２・・・電源コード
３・・・本体
４・・・ホース
５・・・取手
６・・・ヘッド
７・・・電源スイッチ
【図１】
0003144537.tif 000003